(57)【要約】【課題】  電源基板を容器本体の前方側において保護枠との間隔が前方側から後方側にかけて狭くなるように傾斜させることにより、コネクタの配置箇所を自由に設定でき、配線の長さを短くでき、且つ全体を小型化することができる炊飯器を提供すること。【解決手段】  内壁を形成する保護枠、外壁を形成する本体ケースからなる容器本体と、該容器本体に対し開閉自在な蓋部材と、前記保護枠と前記本体ケースとの間に設けられる加熱手段と、スイッチ、表示部を取り付ける操作基板と、各種電子部品を取り付ける電源基板とを備えてなる炊飯器において、前記電源基板を前記容器本体の前方側において前記保護枠との間隔が前方側から後方側にかけて狭くなるように傾斜させる炊飯器。【選択図】        図１
2005185621.tif 000002
【特許請求の範囲】
【請求項１】
内壁を形成する保護枠、外壁を形成する本体ケースからなる容器本体と、該容器本体に対し開閉自在な蓋部材と、前記保護枠と前記本体ケースとの間に設けられる加熱手段と、スイッチ、表示部を取り付ける操作基板と、各種電子部品を取り付ける電源基板とを備えてなる炊飯器において、前記電源基板を前記容器本体の前方側において前記保護枠との間隔が前方側から後方側にかけて狭くなるように傾斜させることを特徴とする炊飯器。
【請求項２】
前記電源基板と前記操作基板とは、略直角に配置されることを特徴とする請求項１記載の炊飯器。
【請求項３】
前記電源基板の先端部は、前記操作基板の前方側に配置されることを特徴とする請求項１、２記載の炊飯器。
【請求項４】
前記電源基板の下面に前記各種電子部品が取り付けられることを特徴とする請求項１ないし３記載の炊飯器。
【発明の詳細な説明】
【技術分野】
【０００１】
本発明は、炊飯器に関し、特に、各種電子部品を取り付ける電源基板の配置構造に関するものである。
【背景技術】
【０００２】
近時、炊飯器の需要が増え、それにつれて多くの機能が付加されるようになり、緻密で効率的な炊飯制御並びにその後の長時間に渡る保温制御を確実に行うことができる等、炊飯器は、使い勝手の良い製品の一つとして広く利用されている。
【０００３】
一方、購買者は、使い勝手がよいという機能の面は勿論のこと、同じ機能を有する製品であれば、少しでも安価で且つ設置場所並びに持ち運びの便利さをも考慮し、小形のものを求める傾向にあり、炊飯器においてもその生産コストの低減並びに小型化は、喫緊な課題になっている。
【０００４】
ところで、炊飯器は上述したように緻密で効率的な炊飯制御等が可能な製品であり、そのような制御を可能にするための操作基板並びに各種電子部品を取り付けるための電源基板が取り付けられている。
【０００５】
従来の炊飯器を図３に基づいてその概略を説明する。炊飯器１は、図に示すように、外壁を形成する本体ケース２と、該本体ケース２の上端部に形成される肩部材６と、該肩部材６の上方開口部に設けられる蓋部材３とによって構成されている。該蓋部材３の中央部には、弁部材４が設けられ、内部圧が所定以上に上昇した場合には、内部の蒸気を外部に放出する。また、蓋部材３の後方側には、公知のヒンジ機構５が設けられ、蓋部材３を本体ケース２に対して開閉自在にするとともに、蓋部材３は本体ケース２より取り外し可能とされている。
【０００６】
前記本体ケース２内には、内壁を形成する保護枠７が設けられるとともに、該保護枠７内には、お米等が入れられ調理するための内鍋８が収納配置される。また、保護枠７の下方と本体ケース２の底部上方との間にはヒータ等の加熱手段９が配置され、内鍋８内に入れられたお米等を加熱調理する。
【０００７】
符号１０は、炊飯器１の前方側（ヒンジ機構５と反対側）に形成される空間の上方に傾斜して配置される操作基板であり、基板保持部材１１に保持されるとともに、その上面には、表示部１２及び加熱手段９を操作するための操作スイッチ１３等が取り付けられる。また、基板保持部材１１は、操作基板１０の下方においてほぼ垂直に延設され、そのほぼ垂直な箇所には、加熱手段９を加熱制御するための各種電子部品１５が取り付けられる電源基板１４が保持される。そして、電子部品１５には、配線１７の一端に取付けられるコネクタ１６が接続されることにより、配線１７及びヒータ端子１８を介して加熱手段９に接続される（例えば、特許文献１参照）。
【０００８】
このように、従来の炊飯器１の電源基板１４は、炊飯器１の前方側に形成される空間内に操作基板１０の下方に垂下する形態で設けられていた。しかしながら、電源基板１４をこのような形態で配置すると、どうしても電源基板１４の下端と本体ケース２の間の距離が小さくなるため、電源基板１４の特に上下方向の大きさ、或いは電子部品１５に接続される前記コネクタ１６の配置箇所が限定される等設計上の自由度が低減するという問題があった。
【０００９】
また、電源基板１４と前記ヒータ端子１８とは配線１７で接続され、更に電源基板１４と操作基板１０とは渡り線で接続されるが、電源基板１４が上記の形態で配置されていると配線１７及び渡り線の長さが長くなり、それだけ高価になるという問題があった。
【００１０】
また、各種電子部品１５の数並びに大きさによっては、電源基板１４を大きくする必要があり電源基板１４を上下方向に長くすると電源基板１４の下端と本体ケース２の間の距離に余裕がないためどうしても炊飯器１の高さを高くせざるを得ずその結果炊飯器１が大型化するという問題があった。
【特許文献１】特開平８−２５８５７７号公報
【発明の開示】
【発明が解決しようとする課題】
【００１１】
本発明の目的は、電源基板を容器本体の前方側において保護枠との間隔が前方側から後方側にかけて狭くなるように傾斜させることにより、従来の問題を解決することであり、詳細には、コネクタの配置箇所を自由に設定でき、配線の長さを短くでき、且つ全体を小型化することができる炊飯器を提供することである。
【課題を解決するための手段】
【００１２】
上記目的を達成するため、本願発明は以下の構成を採用する。
【００１３】
請求項１に係る発明では、内壁を形成する保護枠、外壁を形成する本体ケースからなる容器本体と、該容器本体に対し開閉自在な蓋部材と、前記保護枠と前記本体ケースとの間に設けられる加熱手段と、スイッチ、表示部を取り付ける操作基板と、各種電子部品を取り付ける電源基板とを備えてなる炊飯器において、前記電源基板を前記容器本体の前方側において前記保護枠との間隔が前方側から後方側にかけて狭くなるように傾斜させる構成。そしてこのような構成により、コネクタの配置箇所を電源基板上のどのような位置にも設定することができるようになり、また、配線の長さが短くなり、更には例え電源基板を大きくせざるを得なくなったとしても炊飯器全体を大型化する必要はない。
【００１４】
請求項２に係る発明では、前記電源基板と前記操作基板とは、略直角に配置される構成。炊飯器の操作基板が設けられる前方側に形成される空間は、断面略く字形に作られており、電源基板をこのような形態にすることにより、その空間内に適正に配置される。
【００１５】
請求項３に係る発明では、前記電源基板の先端部は、前記操作基板の前方側に配置される構成。そしてこのような構成により、例え電源基板を大きくしたとしても電源基板の下端部が保護枠に当たる恐れを低減できる。
【００１６】
請求項４に係る発明では、前記電源基板の下面に前記各種電子部品が取り付けられる構成。そしてこのような構成により、配線のレイアウトがしやすくなるとともに、電子部品が取り付けやすくなる。
【発明の効果】
【００１７】
請求項１に係る発明では、電源基板を容器本体の前方側において保護枠との間隔が前方側から後方側にかけて狭くなるように傾斜させることにより、コネクタの配置箇所を電源基板上のどのような位置にも設定することができるため設計上の自由度が高まる。また、配線の長さが短くなるため、生産コストを低減することができる。更には炊飯器全体を小型化することができる。
【００１８】
請求項２に係る発明では、電源基板と操作基板とを略直角に配置することにより、炊飯器の前方側に形成される断面略く字形の空間を有効利用して電源基板を効率よく配置することができる。
【００１９】
請求項３に係る発明では、電源基板の先端部を操作基板の前方側に配置することにより、電源基板が傾斜したまま前方側に位置しその下端部が保護枠より離れるため、炊飯器全体を大型化することなく電源基板をより大きくすることができる。また、操作基板と電源基板とで形成される空間をより大きくすることができるため、その空間に例えば冷却ファン（加熱手段としてＩＨを用いる場合）等を配置することができる。
【００２０】
請求項４に係る発明では、電源基板の下面に各種電子部品を取り付けることにより、配線のレイアウトが容易になり、更には、各種電子部品の取り付けが容易になるため、その分生産コストを高めることができる。
【実施例１】
【００２１】
図１は、炊飯器に本発明を適用した断面図を示し、後記のヒンジ機構３１が設けられる側を後方側、該ヒンジ機構３１と反対の操作部４２が設けられる側を前方側とする。炊飯器２０は、大別して、外壁を形成する本体ケース２１と、該本体ケース２１の上端部に形成される肩部材２２と、該肩部材２２の上方開口部に設けられる蓋部材２３とからなる。該蓋部材２３は、樹脂製で、上板２４、下板２５及び放熱板２６から構成される。そして上板２４と下板２５との間には断熱空間２７が形成され熱の逃げを極力低減している。図示していないが、前記放熱板２６の上面に蓋ヒータを配置したり、或いは肩部材２２に肩ヒータを設け該放熱板２６をこれらヒータにより加熱し、内鍋３７内のご飯等を上部から加熱することもできる。
【００２２】
また、蓋部材２３の中央部には、弁部材２８が設けられ、内部圧が所定以上になると内部の蒸気を蒸気通路２９を介して蒸気口３０より外部に放出する。更に、蓋部材２３の後方側には、既に公知のバネ材を内在したヒンジ機構３１が設けられ、炊飯器２０の前方側上部に設けられるロック部材３２の施錠ないし開錠作用により蓋部材２３を本体ケース２１に対して開閉自在にするとともに、該蓋部材２３の開放状態で蓋部材２３を上方に持ち上げることにより着脱自在に形成してなり、蓋部材２３を本体ケース２１より取り外すことによりその丸洗いを可能にしている。
【００２３】
前記本体ケース２１は樹脂製で、その内部には内壁を形成する保護枠３３が設けられ、更に該保護枠３３の側壁には保温ヒータ３６が取り付けられており、保温時等に内鍋３７を加熱する。また、保護枠３３はビス３４により本体ケース２１の底部に固定され、本体ケース２１の底部には複数の脚部３５が一体に形成されている。
【００２４】
前記保護枠３３内には、ご飯等を入れ加熱調理するための内鍋３７が収納配置され、また、保護枠３３の底部には加熱手段としてのヒータ３８が取り付けられており、該ヒータ３８の通電量を図示しない制御手段により制御し内鍋３７内のご飯等を適正加熱する。その際、保護枠３３の底部中央には開口３９が設けられるとともに、該開口３９より進退自在にセンターセンサー４０が配設されており、前記内鍋３７を保護枠３３内に収納すると内鍋３７の中央底面が突出しているセンターセンサー４０の頂部を押圧する。すると該センターセンサー４０は押し下げられ、炊飯器２０の加熱制御を可能にする。このようにセンターセンサー４０は、炊飯器２０の安全装置をも兼ねている。
【００２５】
炊飯器２０の前方側には、本体ケース２１と保護枠３３との間に図に示すような前方側断面く字形の前方空間４１が形成されており、この前方空間４１の上方であって後方側から前方側へ向かって下方へ傾斜した部分には、窓４６を有する操作部４２が形成されている。
【００２６】
この操作部４２の下方には、操作部４２とほぼ平行に操作基板４３が配置される。該操作基板４３は、その下方を図示しないビスにより第１の保持部材４７に保持されるとともに、その上面には前記窓４６に対向して表示部４４が、また他の箇所には操作スイッチ４５等が取り付けられており、所定の操作スイッチ４５を押圧することにより所定の調理を行うことができ、その時の調理状態等が表示部４４に表示される。なお、前記第１の保持部材４７は図示しないビスにより本体ケース２１に固定される。
【００２７】
また、前記第１の保持部材４７の前方側下面には、第２の保持部材４８が前方側から後方側へ向かって下方に傾斜した形態、別言すれば、前記保護枠３３との間隔が前方側から後方側にかけて狭くなるように傾斜した形態で取り付けられており、第１の保持部材４７と第２の保持部材４８とで断面略く字形を呈している。
【００２８】
そして、第１の保持部材４７に対する第２の保持部材４８の取り付けは、できるだけ第１の保持部材４７前方側下面とされるとともに、その取り付け角度θは、本体ケース２１の前方側断面とほぼ同様の略く字形になるようにされ、図のものでは略直角とされている。更に、第２の保持部材４８の最下端の保護枠３３方向への張り出し長さは、垂直な一点鎖線５４で示すように第１の保持部材４７の最上端の保護枠３３方向への張り出し長さと同じにされている。そのため、第２の保持部材４８をより大きくすることができるとともに、両保持部材４７、４８と保護枠３３との間の空間４１ａもより大きく確保でき、この空間４１ａに他の部品を収納配置することもできる。なお、第１の保持部材４７と第２の保持部材４８とは別体のものとして説明したが、一体のものでも良い。
【００２９】
前記第２の保持部材４８には、該第２の保持部材４８と平行に図示しないビスにより電源基板４９が保持されるとともに、該電源基板４９の下面（本体ケース２１に対向する面）にはヒータ３８等を制御するための各種電子部品５０が取り付けられている。
【００３０】
また、電源基板４９の下面に取り付けられる電子部品５０には、配線５２の一端に取り付けられるコネクタ５１が連結されるとともに、配線５２の他端はヒータ端子５３に連結されており、電子部品５０とヒータ３８とは電気的に接続状態にされる。そして操作基板４３と電源基板４９とは、図示しない渡り線で電気的に接続されている。なお、操作基板４３と電源基板４９の取り付け後の形態は、第１の保持部材４７と第２の保持部材４８のものとほぼ同じである。
【００３１】
即ち、電源基板４９の傾斜は、本体ケース２１の傾斜と略平行であり、操作基板４３の最上端と電源基板４９の最下端とは、略同一垂直線上に位置する。そのため、電源基板４９をより大きくすることができるとともに、両基板４３、４９と保護枠３３との間の空間４１ａもより大きく確保でき、この空間４１ａに他の部品を収納配置することもできる。更に、例え何等かの原因により前方空間４１内に炊飯時に発生するおねばが侵入したとしても、操作基板４３が電源基板４９の庇になるので、そのおねばが電源基板４９にかかることはない。
【００３２】
更に、電源基板４９上の電子部品５０とコネクタ５１との連結を容易に行うことができるとともに、例えヒータ端子５３が前方空間４１内の電源基板４９の下方に位置することになったとしても、電源基板４９の下方に余裕を持って配置することができる。
【実施例２】
【００３３】
図２は、炊飯器に本発明を適用した他の例であり、操作基板４３及び電源基板４９と、保護枠３３との間の空間４１ａに冷却ファンを配置したものである。即ち、加熱手段としてワークコイルを用いるとその制御のために、発熱素子及び冷却ファンが必要になり、その冷却ファンをどこに配置するかは炊飯器の小型化の課題の１つであった。この例のものはその課題に対応するものである。図１と同じものは同じ図番を付し詳細な説明は省略する。
【００３４】
符号３７は、保護枠３３内に収納される内鍋であり、加熱源として誘導加熱方式を用いた場合、内部に誘起される渦電流が大となる鉄製等の高磁性材料で成形するのが有利となるが、重量が重くなるため軽量で、且つ表皮抵抗の小さいアルミ製を用いている。そのため該内鍋３７の底面の全周にわたり誘導加熱を有効に行うことのできる表皮抵抗の大きいステンレス６０を圧着し、底部のみを二重構造にしている。なお、このステンレス６０を圧着するものに代え、同じく表皮抵抗の大きい鉄を溶着するものでも良い。
【００３５】
保護枠３３の下方には、コイル保持部材６１が配設されるとともに、該コイル保持部材６１の上面には中央側にセンターコイル６２が巻回され、外周側にサイドコイル６３が巻回されている。またコイル保持部材６１の下面には磁束を収束させその漏れを防止するフェライトコア６４が設けられ、全体で加熱手段を構成する。
【００３６】
電源基板４９は、図１のものと同様の形態で第２の保持部材４８に保持されるとともに、該第２の保持部材４８は第１の保持部材４７の前方側下面に取り付けられ、第１の保持部材４７と第２の保持部材４８とで前方空間４１内に空間４１ａを形成している。そして前記電源基板４９には、誘導加熱に必要なパワートランジスタ(ＩＧＢＴ)、各種駆動回路等の各種電子素子である電子部品５０が取り付けられている。これら電子部品５０には、例えば前記ＩＧＢＴ等のように発熱する素子があり、それら発熱素子を冷却するための冷却ファン６５が必要になる。
【００３７】
前記第２の保持部材４８の後方側である電源基板４９が取り付けられる側とは反対側の面にはその先端にフック６６を有する複数個の取付部材６７が一体に形成されており、この取付部材６７に狭持される形態で冷却ファン６５が取り付けられる。この場合、冷却ファン６５が取り付けられる箇所の第２の保持部材４８及び電源基板４９には冷却風が通過するための複数の通孔６８、６９がそれぞれ設けられており、この冷却ファン６５を回動させることにより図示しない本体ケース２１の前方側に設けられる吸入口より冷却風を吸入し、前記複数の通孔６８、６９を介して前方側から後方側に流出させることにより前記電子部品５０中の発熱素子を効率的に冷却し、更にコイル６２、６３等を冷却する冷却風を図示しない本体ケース２１の後方側に設けられる排気口より排出する。
【００３８】
このように第１の保持部材４７と第２の保持部材４８とで形成される空間４１ａを有効利用し、この空間４１ａ内に冷却ファン６５を配置することにより、特に冷却ファン６５の配置スペースを広げて設ける必要がなくなるため、炊飯器の小型化が図れる。
【００３９】
本願発明は、上記実施例の構成に限定されるものではなく、発明の要旨を逸脱しない範囲において適宜設計変更可能である。
【図面の簡単な説明】
【００４０】
【図１】本願発明の炊飯器の実施例の全体断面図
【図２】本願発明の炊飯器の他の実施例の全体断面図
【図３】従来例の炊飯器の断面図
【符号の説明】
【００４１】
２０…炊飯器            ２１…本体ケース    
２２…肩部材            ２３…蓋部材      
２４…上板              ２５…下板          
２６…放熱板            ２７…断熱空間      
２８…弁部材            ２９…蒸気通路      
３０…蒸気口            ３１…ヒンジ機構    
３２…ロック部材        ３３…保護枠      
３４…ビス              ３５…脚部        
３６…保温ヒータ        ３７…内鍋          
３８…ヒータ            ３９…開口        
４０…センターセンサー  ４１…前方空間      
４１ａ…空間            ４２…操作部        
４３…操作基板          ４４…表示部        
４５…操作スイッチ      ４６…窓          
４７…第１の保持部材    ４８…第２の保持部材
４９…電源基板          ５０…電子部品      
５１…コネクタ          ５２…配線        
５３…ヒータ端子        ５４…一点鎖線      
６０…ステンレス        ６１…コイル保持部材
６２…センターコイル    ６３…サイドコイル  
６４…フェライトコア    ６５…冷却ファン    
６６…フック            ６７…取付部材      
６８、６９…通孔
【図１】
2005185621.tif 000003
【図２】
2005185621.tif 000004
【図３】
2005185621.tif 000005